(57)【要約】【課題】よりシンプルなシステム構成で安全、かつ確実に硬貨を回収することが可能なランドリーシステムを提供する。【解決手段】少なくとも１台のランドリー機器１ａと、ランドリー機器と接続される管理装置１１からなるランドリーシステムであって、ランドリー機器の売上額を保持する売上額保持部２ａと、売上額を管理装置へ転送する売上回収転送ボタン３ａとを備えるランドリーシステムを提供する。【選択図】図１
2018077596.tif 000002
【特許請求の範囲】
【請求項１】
少なくとも１台のランドリー機器と、前記ランドリー機器と接続される管理装置からなるランドリーシステムであって、
前記ランドリー機器の売上額を保持する売上額保持手段と、前記売上額を前記管理装置へ転送する売上回収転送ボタンとを備えるランドリーシステム。
【請求項２】
少なくとも１台のランドリー機器と、前記ランドリー機器と接続される管理装置からなるランドリーシステムであって、
前記ランドリー機器を管理するメインコントローラを備え、
前記メインコントローラは、前記管理装置と接続され、前記ランドリー機器の全売上額を保持する全売上額保持手段と、全売上額を前記管理装置へ転送する全売上回収転送ボタンとを備えるランドリーシステム。
【請求項３】
前記ランドリー機器は、売上額を保持する売上額保持手段と、前記メインコントローラとデータの通信を行う通信手段を備え、
前記メインコントローラは、前記通信手段との通信を管理する通信管理手段を備える請求項２記載のランドリーシステム。
【請求項４】
少なくとも１台のランドリー機器と、前記ランドリー機器を管理するメインコントローラと、前記メインコントローラと接続される管理装置からなるランドリーシステムであって、
前記ランドリー機器は、売上額を保持する売上額保持手段と、前記メインコントローラとデータの通信を行う通信手段を備え、
前記メインコントローラは、複数の前記ランドリー機器の前記売上額保持手段からの全売上額を保持する全売上額保持手段と、全売上額を前記管理装置へ転送する全売上回収転送ボタンと、前記通信手段との通信を管理する通信管理手段を備えるランドリーシステム。
【請求項５】
前記メインコントローラは、通信復帰ボタンを備え、
前記全売上回収転送ボタンによって、前記ランドリー機器の前記通信手段と前記メインコントローラとの通信が切断され、前記ランドリー機器の売上回収後に、前記通信復帰ボタンの押下によって、通信が復帰し、前記ランドリー機器の前記売上額保持手段に保持された売上額を、前記メインコントローラの前記全売上額保持手段に送信する請求項３または４のいずれかに記載のランドリーシステム。
【発明の詳細な説明】
【技術分野】
【０００１】
本発明は、複数台のランドリー機器を管理する制御装置を含んだランドリーシステムに関する。
【背景技術】
【０００２】
従来、コインランドリーといえば、コイン式のスタンドアローンの洗濯機や乾燥機が備えられており、それぞれの機器に硬貨回収部があり、機器を作動させるようになっていた。このため、硬貨回収部に溜まった硬貨を回収する際には、各機器の硬貨カウンターと実際に回収された硬貨の数を比べればよかった。昨今、インターネットの発達により、洗濯機や乾燥機もネットワークに接続され、動作を管理・制御すると同時に、硬貨の回収額、つまり売上額についても管理されるようになっている。
【０００３】
このように、インターネットを介して、洗濯機や乾燥機の硬貨回収部に回収された硬貨の数が管理されると、実際の硬貨回収時と管理タイミングで時差が生じ、問題になることがある。例えば、インターネットを介して遠隔地の管理サーバが、あるタイミングで、複数台ある洗濯機や乾燥機などのランドリー機器の売上額を確定する。一方、実際の硬貨回収作業には、ランドリー機器が複数台あるため時間がかかり、硬貨回収作業中にお客様が使用する場合があり、売上げを確定し硬貨回収中に、お客様が使用した場合には、次の硬貨回収時に、管理サーバで確定した売上額と実際の硬貨回収額に誤差が出る場合がある。
【０００４】
また、硬貨回収者がコインランドリーのオーナー本人であれば、自己責任で回収するため問題はないが、業者や他の人間に回収を依頼する場合には、遠隔地の管理サーバが確定した売上額と実際の硬貨回収額に誤差が出た場合に、どちらが負担をするのかなどのトラブルになりやすい。
【０００５】
そこで、コインランドリー店舗において、ランドリー機器に投入された硬貨の回収に対していくつかの技術が提案されている。上述したように、硬貨の回収においては、オーナーが店舗に行き回収する場合には、大きな問題はないが、料金回収を他人、業者に依頼した場合には、硬貨回収額とランドリー機器でカウントされ確定した額が異なるという問題が発生しやすくなり、トラブルの元となっている。これに対し、特開２００５−３４６５６８号公報では、ランドリー機器のデータコントローラが、売上げデータをリアルタイムで遠隔地のサーバへ送信し、サーバが売上げデータを受信し、リアルタイムで格納し管理しているシステムが開示されている。
【０００６】
このシステムにおいては、作業員が回収作業を行うようにしている。具体的には、作業員が、まず所有している携帯から、サーバで管理している作業員専用サイトにアクセスし、作業員専用サイトにおいて回収作業開始の連絡をサーバに行う。さらに、作業員が所有しているＩＣカードを、硬貨を回収する各ランドリー機器のＩＣカードユニットに挿入する。これにより、サーバが、ＩＣカードの識別番号を受信し、当該ランドリー機器の売上げデータを格納する。作業員は、硬貨を回収した後に、再度、所有している携帯から、サーバで管理していこの遠隔監視システムでは、画像や動画を送信し、表示することができるとしている。
【先行技術文献】
【特許文献】
【０００７】
【特許文献１】特開２００５−３４６５６８号
【発明の概要】
【発明が解決しようとする課題】
【０００８】
上記の従来技術では、作業員が携帯端末とＩＣカードを所有する必要があり、さらにサーバ側でそのためだけの専用サイトが必要となる。ランドリー機器から硬貨を回収する作業員にとっては、面倒な操作や、作業工数が増え負担であり、またシステムにおいてもランドリー機器側にＩＣカードユニットを設け、専用サイトなどを用意する必要があり、大きなコストとなる。
【０００９】
そこで、もっと単純なやり方で、効率よく、かつ安全、確実に硬貨の回収をすることができるシステムが求められている。
本発明の目的は、よりシンプルなシステム構成で安全、かつ確実に硬貨を回収することが可能なランドリーシステムを提供することである。
【課題を解決するための手段】
【００１０】
前記課題を解決するために、本発明の一態様は、少なくとも１台のランドリー機器と、ランドリー機器と接続される管理装置からなるランドリーシステムであって、ランドリー機器の売上額を保持する売上額保持手段と、売上額を管理装置へ転送する売上回収転送ボタンとを備えるランドリーシステムである。
【００１１】
また、本発明の別の態様では、少なくとも１台のランドリー機器と、ランドリー機器と接続される管理装置からなるランドリーシステムであって、ランドリー機器を管理するメインコントローラを備え、メインコントローラは、管理装置と接続され、ランドリー機器の全売上額を保持する全売上額保持手段と、全売上額を管理装置へ転送する全売上回収転送ボタンとを備えるランドリーシステムである。
【００１２】
本発明の一態様では、ランドリー機器は、売上額を保持する売上額保持手段と、メインコントローラとデータの通信を行う通信手段を備え、メインコントローラは、通信手段との通信を管理する通信管理手段を備えることが好ましい。
【００１３】
さらに本発明の別の態様では、少なくとも１台のランドリー機器と、ランドリー機器を管理するメインコントローラと、メインコントローラと接続される管理装置からなるランドリーシステムであって、ランドリー機器は、売上額を保持する売上額保持手段と、メインコントローラとデータの通信を行う通信手段を備え、メインコントローラは、複数のランドリー機器の売上額保持手段からの全売上額を保持する全売上額保持手段と、全売上額を管理装置へ転送する全売上回収転送ボタンと、通信手段との通信を管理する通信管理手段を備えるランドリーシステムである。
【００１４】
本発明の一態様では、メインコントローラは、通信復帰ボタンを備え、全売上回収転送ボタンによって、ランドリー機器の通信手段とメインコントローラとの通信が切断され、ランドリー機器の売上回収後に、通信復帰ボタンの押下によって、通信が復帰し、ランドリー機器の売上額保持手段に保持された売上額を、メインコントローラの全売上額保持手段に送信することが好ましい。
【発明の効果】
【００１５】
本発明によれば、シンプルなシステム構成で、硬貨回収作業者の負担およびシステムのコストが少なく、安全、確実に硬貨の回収をすることができる。
【図面の簡単な説明】
【００１６】
【図１】本発明の第１実施形態に係るランドリーシステムの全体構成図である。
【図２】本発明の第１実施形態に係るランドリーシステムでの第１処理フロー図である。
【図３】本発明の第２実施形態に係るランドリーシステムの全体構成図である。
【図４】本発明の第２実施形態に係るランドリーシステムでの第２処理フロー図である。
【図５】本発明の実施形態に係るランドリーシステムでの表示画像例１である。
【図６】本発明の実施形態に係るランドリーシステムでの表示画像例２である。
【図７】本発明の実施形態に係るランドリーシステムでの表示画像例３である。
【図８】本発明の実施形態に係るランドリーシステムでの表示画像例４である。
【図９】本発明の実施形態に係るランドリーシステムでの表示画像例５である。
【図１０】本発明の実施形態に係るランドリーシステムでの表示画像例６である。
【発明を実施するための形態】
【００１７】
本発明の実施形態を図面を参照しつつ説明する。
本実施形態において、ランドリー機器とは、洗濯機と乾燥機を示している。
【００１８】
（構成）
図１には、本発明の第１実施形態に係るランドリーシステムの全体構成図を示す。
図１に示すように、ランドリーシステムは、主に複数台の第１ランドリー機器１ａ、第２ランドリー機器１ｂと、両替機５と、これらをインターネット回線１０に接続し、通信を行うためのルータ６と、インターネット回線１０を介して接続される管理装置１１およびオーナーＰＣ／携帯端末１２から構成される。
【００１９】
ルータ６は、第１ランドリー機器１ａ、第２ランドリー機器１ｂ、両替機５の稼動状態や売上情報などのすべての情報を管理装置１１に送信する。遠隔地の管理装置１１は、インターネット回線１０およびルータ６を介して第１ランドリー機器１ａ、第２ランドリー機器１ｂに命令を送信したり、インターネット回線１０介して稼動状態や売上情報などの情報をオーナーＰＣ／携帯端末１２に送信したりする。
【００２０】
また、管理装置１１は、例えば、各地に設置されているコインランドリーの複数台のランドリー機器の状態を管理・監視している。管理装置１１は、各店舗の多くのランドリー機器からの情報を蓄積し、分析している。また、管理装置１１は、取得した情報からオーナーやお客様へ開示する情報を整理し、インターネット回線１０を介し、開示する情報の処理を行う。例えば、オーナーへは、オーナーが所有する店舗のランドリー機器の稼働状況の他、各ランドリー機器の稼動の回数、稼動履歴、両替機やカード情報読取部によって処理された情報などを、プログラムによって整理し、開示する。また、お客様が使用する端末への情報開示をしてもいい。お客様の端末へは、お客様が利用したい店舗のランドリー機器の稼働状況、終了予想時間、混雑具合、料金、タイムサービス情報などを開示する。
【００２１】
また、管理装置１１が、人工知能を備え、上述した各種情報とインターネット上の天気情報、地域のイベント情報などから混雑度を予測し、タイムサービスを提案したり、オーナーに予測情報を送り判断を仰ぐようにしたりしてもよい。
オーナーは、オーナー自身が所有するオーナーＰＣ／携帯端末１２をインターネット回線１０に接続し、管理装置１１が開示するランドリー機器の稼働状況、各ランドリー機器の稼動の回数、稼動履歴、両替機やカード情報読取部によって処理された情報などを見ることができる。ここで、ＰＣ／携帯端末１２とは、インターネットに接続可能なパーソナルコンピュータや携帯電話、スマートフォン、タブレットなどを示す。
【００２２】
第１ランドリー機器１ａは、第１売上額保持部２ａ、第１売上回収データ転送ボタン３ａを備える。第１売上額保持部２ａは、第１ランドリー機器１ａを使用する使用者が硬貨を入れた際にカウントをするカウンターである。第１売上回収データ転送ボタン３ａは、ランドリー機器１ａの硬貨を回収しにきた作業者によって押下され、押下されると、第１売上額保持部２ａでカウントされた硬貨回収額、つまり売上回収データがルータ６およびインターネット回線１０介して、管理装置１１に送信される。
【００２３】
同様に第２ランドリー機器１ｂは、第２売上額保持部２ｂ、第２売上回収データ転送ボタン３ｂを備える。第２売上額保持部２ｂは、第２ランドリー機器１ｂを使用する使用者が硬貨を入れた際にカウントをするカウンターである。第２売上回収データ転送ボタン３ｂは、ランドリー機器１ｂの硬貨を回収しにきた作業者によって押下され、押下されると、第２売上額保持部２ｂでカウントされた硬貨回収額、つまり売上回収データがルータ６およびインターネット回線１０介して、管理装置１１に送信される。
【００２４】
次に、本発明の第１実施形態に係るランドリーシステムにおける硬貨回収作業時の処理を第１処理フロー図に従って説明する。図２は、本発明の第１実施形態に係るランドリーシステムでの第１処理フロー図である。第１処理フロー図においては、作業者を中心に、ランドリー機器と管理装置への作業、情報の送信の関係をタイムフローで示している。
【００２５】
まず、硬貨を回収する作業者は、第１ランドリー機器１ａの硬貨を回収する（ステップＳ０１）。硬貨回収後に、第１売上額保持部２ａでカウントされた硬貨回収額、つまり売上回収データを管理装置１１へ送信するために、第１売上回収データ転送ボタン３ａを押下する（ステップＳ０２）。これにより、第１ランドリー機器１ａの売上回収データが管理装置１１へ送信される。第１ランドリー機器１ａの売上回収データは、前回の第１売上回収データ転送ボタン３ａの押下から今回の第１売上回収データ転送ボタン３ａの押下までにカウントされた硬貨の数のデータとなっている。
【００２６】
複数のランドリー機器がある場合には、同様に、硬貨を回収する作業者は、第２ランドリー機器１ｂの硬貨を回収する（ステップＳ０３）。硬貨回収後に、第２売上額保持部２ｂでカウントされた硬貨回収額、つまり売上回収データを管理装置１１へ送信するために、第２売上回収データ転送ボタン３ｂを押下する（ステップＳ０４）。これにより、第２ランドリー機器１ｂの売上回収データが管理装置１１へ送信される。第２ランドリー機器１ｂの売上回収データは、前回の第２売上回収データ転送ボタン３ｂの押下から今回の第２売上回収データ転送ボタン３ｂの押下までにカウントされた硬貨の数のデータとなっている。
【００２７】
以上のように、各ランドリー機器に硬貨を回収した売上額を保持する売上額保持手段を備え、実際に回収作業者が回収するときに、保持された売上回収データを、売上回収データ転送ボタンを押下することで、遠隔地の管理装置へ送るため、硬貨回収と確定した売上額の情報送信にタイムラグがなくなり、安全、確実に硬貨の回収を行うことができる。回収作業者にとっては、硬貨回収時に売上回収データ転送ボタンを押下するのみでよいので、負担が少ない。また、システムにとっては、硬貨をカウントするカウンターを売上額保持手段として利用し、保持されたカウント情報を送るようにすればよいため、シンプルに構成可能である。
【００２８】
次に、図３に基づいて、複数台のランドリー機器を備え、それらの稼働および売上額を管理するメインコントローラを備えた場合のランドリーシステムについて説明する。
【００２９】
図３は、本発明の第２実施形態に係るランドリーシステムの全体構成図である。
図３に示すように、本発明の第２実施形態に係るランドリーシステムは、主に複数台の第３ランドリー機器１ｃ、第４ランドリー機器１ｄと、両替機５と、これらの稼働状態および売上額を管理するメインコントローラ７と、インターネット回線１０介して接続される管理装置１１およびオーナーＰＣ／携帯端末１２から構成される。
【００３０】
第３ランドリー機器１ｃは、第３売上額保持部２ｃ、第３通信部４ａを備える。第３売上額保持部２ｃは、第３ランドリー機器１ｃを使用する使用者が硬貨を入れた際にカウントをするカウンターである。第３通信部４ａは、メインコントローラ７と接続される。
【００３１】
同様に第４ランドリー機器１ｄは、第４売上額保持部２ｄ、第４通信部４ｂを備える。第４売上額保持部２ｄは、第４ランドリー機器１ｄを使用する使用者が硬貨を入れた際にカウントをするカウンターである。第４通信部４ｂは、メインコントローラ７と接続される。
【００３２】
メインコントローラ７は、通信管理部７ａ、全売上額保持部７ｂ、全売上回収データ転送ボタン７ｃと、通信復帰ボタン７ｄが備えられている。全売上額保持部７ｂは、第３売上額保持部２ｃおよび第４売上額保持部２ｄからの売上情報を定期的に吸い上げ保持する。つまり、全売上額保持部７ｂは、第３ランドリー機器１ｃおよび第４ランドリー機器１ｄが設置されたコインランドリー店舗の全売上のデータを保持する。第３売上額保持部２ｃおよび第４売上額保持部２ｄからの売上回収データは、メインコントローラ７と第３ランドリー機器１ｃおよび第４ランドリー機器１ｄとの通信が通じているときには、定期的に売上回収データを第３ランドリー機器１ｃおよび第４ランドリー機器１ｄから送信される。
【００３３】
全売上回収データ転送ボタン７ｃは、第３ランドリー機器１ｃおよび第４ランドリー機器１ｄが設置されたコインランドリー店舗に、硬貨を回収しにきた作業者によって押下される。押下されると、メインコントローラ７の全売上額保持部７ｂに保持された売上回収データが管理装置１１に送信される。同時に、メインコントローラ７と第３ランドリー機器１ｃおよび第４ランドリー機器１ｄとの通信を切断する。
【００３４】
通信復帰ボタン７ｄは、作業者が硬貨を回収し終わった後に押下される。押下されると、メインコントローラ７と第３ランドリー機器１ｃおよび第４ランドリー機器１ｄとの通信が復帰し、切断中に第３ランドリー機器１ｃ、第４ランドリー機器１ｄが利用されていると、それぞれ第３売上額保持部２ｃ、第４売上額保持部２ｄに保持された売上データがメインコントローラ７へ送信される。
【００３５】
なお、管理装置１１は、第１実施形態と同様に、例えば、各地に設置されているコインランドリーの複数台のランドリー機器の状態を管理・監視している。管理装置１１は、各店舗のメインコントローラからの情報を蓄積し、分析している。また、管理装置１１は、取得した情報からオーナーやお客様へ開示する情報を整理し、インターネット回線１０を介し、開示する処理を行う。例えば、オーナーへは、オーナーが所有する店舗のランドリー機器の稼働状況の他、各ランドリー機器の稼動の回数、稼動履歴、両替機やカード情報読取部によって処理された情報などを、プログラムによって整理し、開示する。お客様へは、お客様が利用したい店舗のランドリー機器の稼働状況、終了予想時間、混雑具合、料金、タイムサービス情報などを開示する。
【００３６】
また、管理装置１１が、人工知能を備え、上述した各種情報とインターネット上の天気情報、地域のイベント情報などから混雑度を予測し、タイムサービスを提案したり、オーナーに予測情報を送り判断を仰ぐようにしたりしてもよい。
オーナーは、オーナー自身が所有するオーナーＰＣ／携帯端末１２をインターネット回線１０に接続し、管理装置１１が開示するランドリー機器の稼働状況、各ランドリー機器の稼動の回数、稼動履歴、両替機やカード読み取り装置によって処理された情報などを見ることができる。ここで、ＰＣ／携帯端末１２とは、インターネットに接続可能なパーソナルコンピュータや携帯電話、スマートフォン、タブレットなどを示す。
【００３７】
次に、本発明の第２実施形態に係るランドリーシステムにおける硬貨回収作業時の処理を第２処理フロー図に従って説明する。図４は、本発明の第２実施形態に係るランドリーシステムでの第２処理フロー図である。第２処理フロー図においては、作業者を中心に、コインランドリーのメインコントローラと管理装置への作業、情報の送信の関係をタイムフローで示している。
【００３８】
まず、硬貨を回収する作業者は、メインコントローラ７の全売上回収データ転送ボタン７ｃを押下する（ステップＳ１０）。押下されると、メインコントローラ７と第３ランドリー機器１ｃおよび第４ランドリー機器１ｄとの通信を切断する。同時に、メインコントローラ７の全売上額保持部７ｂに保持された売上回収データが管理装置１１に送信される。
【００３９】
つぎに作業者は、コインランドリーに設置されている複数台のランドリー機器から硬貨を回収する。第３ランドリー機器１ｃの硬貨を回収する（ステップＳ１１）。第４ランドリー機器１ｄの硬貨を回収する（ステップＳ１２）。
硬貨回収後、通信復帰ボタンを押下する（ステップＳ１３）。メインコントローラ７と第３ランドリー機器１ｃおよび第４ランドリー機器１ｄとの通信が復帰し、切断中に第３ランドリー機器１ｃ、第４ランドリー機器１ｄが利用されていると、それぞれ第３売上額保持部２ｃ、第４売上額保持部２ｄに保持された売上データがメインコントローラ７へ送信される。
【００４０】
次に、図５〜図１０のランドリーシステムでの表示画像例を示しながら、作業者が行う作業について説明する。図５は、本発明の実施形態に係るランドリーシステムでの表示画像例１である。図６は、本発明の実施形態に係るランドリーシステムでの表示画像例２である。図７は、本発明の実施形態に係るランドリーシステムでの表示画像例３である。図８は、本発明の実施形態に係るランドリーシステムでの表示画像例４である。図９は、本発明の実施形態に係るランドリーシステムでの表示画像例５である。図１０は、本発明の実施形態に係るランドリーシステムでの表示画像例６である。
【００４１】
図５は、メインコントローラ７で様々なコントロールをするためのログイン画面である。作業者はＩＤ欄に定められたＩＤを入力し、パスワード欄にパスワードを入力して、ログインを押下する。ログインをすると、図６で示すように、回収作業ボタン、調整ボタン、設定ボタンが表示される。今回、硬貨の回収であるため、回収作業ボタンを押下する。
【００４２】
回収作業ボタンを押下すると、図７で示す回収作業メニューが表示される。例えば、各機器売上げデータ表示ボタンを押下すると、図８で示すように各洗濯機に使用された５００円玉の数、１００円玉の数などが表示される。このようなデータは、管理装置１１で加工され、オーナーに開示されるデータとなる。
【００４３】
図７の回収作業メニュー画面で各機器売上回収データ転送ボタンを押下すると、前回の回収した時からの売上情報、つまり、第３売上額保持部２ｃ、第４売上額保持部２ｄからメインコントローラ７の全売上額保持部７ｂに保持された全売上回収データが管理装置１１へ送信される。同時に、メインコントローラ７と第３ランドリー機器１ｃおよび第４ランドリー機器１ｄとの通信を切断する。このとき、メインコントローラ７の画面は図９に示すような画面となっている。作業者は、各ランドリー機器から硬貨を回収した後に、図９の画面の回収完了ボタンを押下する。
【００４４】
同様に、両替機転送ボタンを押下すると、前回の回収した時からの売上情報が管理装置１１へ送信される。同時に、メインコントローラ７と両替機５との通信を切断する。このとき、メインコントローラ７の画面は図１０に示すような画面となっている。作業者は、各ランドリー機器から硬貨を回収した後に、図１０の画面の回収完了ボタンを押下する。
【００４５】
ランドリー機器と両替機のすべての硬貨を回収したあと、図７で示した画面の通信復帰ボタンを押下する。これによりメインコントローラ７と各ランドリー機器および両替機５との通信が復帰し、通信切断中に各機器の保持部に保持された売上げデータはメインコントローラ７に送られ、正確に把握されることになる。
【符号の説明】
【００４６】
１ａ  第１ランドリー機器、１ｂ  第２ランドリー機器、１ｃ  第３ランドリー機器、１ｄ  第４ランドリー機器、２ａ  第１売上額保持部、２ｂ  第２売上額保持部、２ｃ  第３売上額保持部、２ｄ  第４売上額保持部、３ａ  第１売上回収データ転送ボタン、３ｂ  第２売上回収データ転送ボタン、４ａ  第３通信部、４ｂ  第４通信部、５  両替機、６  ルータ、７  メインコントローラ、７ａ  管理通信部、７ｂ  全売上額保持部、７ｃ  全売上回収データ転送ボタン、７ｄ  通信復帰ボタン、１０  インターネット回線、１１  管理装置、１２  オーナーＰＣ／携帯端末
【図１】
2018077596.tif 000003
【図２】
2018077596.tif 000004
【図３】
2018077596.tif 000005
【図４】
2018077596.tif 000006
【図５】
2018077596.tif 000007
【図６】
2018077596.tif 000008
【図７】
2018077596.tif 000009
【図８】
2018077596.tif 000010
【図９】
2018077596.tif 000011
【図１０】
2018077596.tif 000012